(57)【特許請求の範囲】
【請求項１】
容器の蓋であって、容器に取り付けられる蓋本体と、該蓋本体の上部に取り付けられたスライド蓋からなり、前記蓋本体の上面の一方寄りには取り出し口が設けられ、前記蓋本体と前記スライド蓋に設けられた、該取り出し口を密封する嵌合部を有し、前記スライド蓋の一端を押し下げることにより、前記嵌合部のスライド蓋が押し上げられて該嵌合部の嵌合がはずれ、更に、前記スライド蓋をスライドさせることによって、取り出し口より収納物が取り出し可能になり、
前記蓋本体の上面にはスライド溝が設けられ、該スライド溝の底部には、前記スライド蓋の一端が押し下げられるように底部傾斜部が設けられ、該スライド溝の対向する一対の側壁には軸移動溝が設けられ、前記スライド蓋の側部には一対のスライド軸が設けられ、該一対のスライド軸は、前記一対の軸移動溝に沿ってスライド可能に嵌まり込んでいることを特徴とする蓋。
【請求項２】
前記軸移動溝の嵌合部寄りの先端には落ち込み部が設けられ、前記スライド蓋の下面には凸部が設けられ、前記スライド蓋の一端を押し下げたときに、該凸部が前記スライド溝の底部に当たり支点となり、前記スライド軸が押し上げられて前記落ち込み部より外れることを特徴とする請求項１に記載の蓋。
【請求項３】
前記軸移動溝は、前記スライド軸がスライド方向に下降するように傾斜して設けられていることを特徴とする請求項１または２に記載の蓋。
【請求項４】
前記軸移動溝の水平方向に対する傾斜角度が、底部傾斜部の水平方向に対する傾斜角度より小さいことを特徴とする請求項３に記載の蓋。
【請求項５】
請求項１から４のいずれか１項に記載の蓋を用いたことを特徴とするウェットティッシュ用容器。
【発明の詳細な説明】
【技術分野】
【０００１】
本発明は、蓋とそれを用いたウェットティッシュ用容器に関するものである。
【背景技術】
【０００２】
水分やアルコール分を含浸したウェブ状のウェットティッシュなどは、所定間隔にウェブを横断するミシン目が設けられ、ロール状に巻き取られていて、蓋付の容器に収納されている。
【０００３】
そして、前記蓋付の容器は、蓋本体にウェットティッシュなどを引き出し、前記ミシン目に沿って切断して取り出すための小さな孔、あるいは孔と放射線状のスリットからなる、ウェットティッシュの取り出し口が設けられ、さらに、取り出し口を閉鎖する開口部用開閉蓋が設けられている。
【０００４】
例えば、中央に開口部を有し、この開口部の内周方向に突出する取り出し孔とその周辺に開口部側の端縁まで達するスリットが穿設されたシート止めスリットを有する頂壁部と、開口部の周辺に隆起する嵌合部と、該嵌合部から垂下する周壁部とからなるキャップ本体と、このキャップ本体の頂壁部を覆うようにシート止めスリットと相対する位置に設けられたヒンジを介在させて連結された天板と天板の周縁から垂設された前記嵌合部に嵌合するように設けられた周壁と隔壁からなる大蓋と、から構成されたウェットシート用容器蓋がある（特許文献１）。
【０００５】
また、ロール状のウェットティッシュではなく、枚葉のウェットティッシュの積層体を収納した包装体であるが、ウェットティッシュの取り出し口が設けられた基板と、取り出し口を開閉可能となるよう基板に設けられた蓋体とから構成され、蓋体には貫通する貫通穴が設けられていると共に、貫通穴を開閉するための小蓋とが設けられている蓋と、袋体と、ウェットティッシュ積層体とからなるウェットティッシュ包装体がある（特許文献２）。
【０００６】
さらに、ウェットティッシュの取り出し口と、取り出し口の周囲に設けられた蓋支持部と、蓋支持部に水平方向移動可能に設けられ、取り出し口を開閉する蓋と、袋体と、ウェットティッシュ積層体とからなるウェットティッシュ包装体がある（特許文献３）。
【０００７】
公知文献を以下に示す。
【先行技術文献】
【特許文献】
【０００８】
【特許文献１】特開２０００−３５５３４０号公報
【特許文献２】特開平１０−７７０７６号公報
【特許文献３】特開平９−１０４４８４号公報
【発明の概要】
【発明が解決しようとする課題】
【０００９】
上記、特許文献においては、収納物である水分やアルコール分を含浸したウェットティッシュを収納し、長期に使用する蓋としては、閉蓋時の密閉性が不足していたり、また、両手を使わなければ、ティッシュを取り出せなかったりするものであった。
【００１０】
本発明は上記した事情に鑑みてなされたもので、片手で簡単に収納物が取り出すことが
でき、且つ、閉蓋時の密閉性の高い蓋とそれを用いたウェットティッシュ用容器を提供することを課題としている。
【課題を解決するための手段】
【００１１】
本発明の請求項１に係る発明は、容器の蓋であって、容器に取り付けられる蓋本体と、該蓋本体の上部に取り付けられたスライド蓋からなり、前記蓋本体の上面の一方寄りには取り出し口が設けられ、前記蓋本体と前記スライド蓋に設けられた、該取り出し口を密封する嵌合部を有し、前記スライド蓋の一端を押し下げることにより、前記嵌合部のスライド蓋が押し上げられて該嵌合部の嵌合がはずれ、更に、前記スライド蓋をスライドさせることによって、取り出し口より収納物が取り出し可能になり、
前記蓋本体の上面にはスライド溝が設けられ、該スライド溝の底部には、前記スライド蓋の一端が押し下げられるように底部傾斜部が設けられ、該スライド溝の対向する一対の側壁には軸移動溝が設けられ、前記スライド蓋の側部には一対のスライド軸が設けられ、該一対のスライド軸は、前記一対の軸移動溝に沿ってスライド可能に嵌まり込んでいることを特徴とする蓋である。
【００１２】
本発明の蓋は、以上のような構成であって、スライド蓋の一端を押し下げることにより、取り出し口を密封する嵌合部のスライド蓋が押し上げられることで嵌合部の嵌合がはずれ、更に、スライド蓋をスライドさせることによって、取り出し口が露出され収納物が取り出し可能になるので、片手で簡単に収納物を取り出すことができる。また、蓋本体とスライド蓋に嵌合部が設けられ、取り出し口を密封しているので、閉蓋時の密閉性が高い。
【００１４】
本発明は、蓋が、蓋本体の上面にスライド溝が設けられ、スライド溝の底部に、前記スライド蓋の一端が押し下げられるように底部傾斜部が設けられ、スライド溝の対向する一対の側壁には軸移動溝が設けられ、スライド蓋の側部には一対のスライド軸が設けられ、一対のスライド軸が、一対の軸移動溝に沿ってスライド可能に嵌まり込んでいるので、スライド蓋の一端を容易に押し下げて、嵌合部の嵌合を外すことができ、また、スライド蓋を容易にスライドさせることができる。
【００１５】
本発明の請求項２に係る発明は、前記軸移動溝の嵌合部寄りの先端には落ち込み部が設けられ、前記スライド蓋の下面には凸部が設けられ、前記スライド蓋の一端を押し下げたときに、該凸部が前記スライド溝の底部に当たり支点となり、前記スライド軸が押し上げられて前記落ち込み部より外れることを特徴とする請求項１に記載の蓋である。
【００１６】
本発明は、蓋の軸移動溝の嵌合部寄りの先端に落ち込み部が設けられ、閉蓋時はスライド軸が落ち込み部に係合することで固定されている。そして、スライド蓋の下面には凸部が設けられ、スライド蓋の一端を押し下げたときに、凸部がスライド溝の底部に当たり支点となるので、スライド軸を楽に押し上げることができ、簡単に落ち込み部との係合を外すことができる。さらには、凸部を設けることでスライド時における抵抗が小さくてすみ、軽い力で安定したスライド操作が可能になる。
【００１７】
本発明の請求項３に係る発明は、前記軸移動溝は、前記スライド軸がスライド方向に下降するように傾斜して設けられていることを特徴とする請求項１または２に記載の蓋である。
【００１８】
本発明の蓋は、軸移動溝がスライド軸のスライド方向に下降するように傾斜して設けられているので、片手で容易にスライドさせることができる。
【００１９】
本発明の請求項４に係る発明は、前記軸移動溝の水平方向に対する傾斜角度が、底部傾斜部の水平方向に対する傾斜角度より小さいことを特徴とする請求項３に記載の蓋である。
【００２０】
本発明の蓋は、軸移動溝の水平方向に対する傾斜角度が、底部傾斜部の水平方向に対する傾斜角度より小さいので、軸移動溝をスライド軸が滑るだけであり、他の部分がスライド時に抵抗にならず、スライド時の感触がよい。
【００２１】
本発明の請求項５に係る発明は、請求項１から４のいずれか１項に記載の蓋を用いたことを特徴とするウェットティッシュ用容器である。
【００２２】
本発明のウェットティッシュ用容器は、請求項１から４のいずれか１項に記載の蓋を用いているので、スライド蓋の一端を押し下げることにより、取り出し口を密封する嵌合部のスライド蓋が押し上げられることで嵌合部の嵌合がはずれ、更に、スライド蓋をスライドさせることによって、取り出し口が露出され収納物が取り出し可能になるので、片手で簡単にウェットティッシュを取り出すことができる。また、蓋本体とスライド蓋に嵌合部が設けられ、取り出し口を密封しているので、閉蓋時の密閉性が高い。
【発明の効果】
【００２３】
本発明の蓋は、片手で簡単に取り出し口を解放することができ、収納物が取り出しやすく、且つ、閉蓋時の密閉性が高く、収納物が乾燥してしまうこともない。また、この蓋を用いたウェットティッシュ用容器は、片手で簡単に取り出し口を解放することができ、収納物が取り出しやすく、且つ、閉蓋時の密閉性が高く、収納物のウェットティシュが乾燥してしまうこともない。
【図面の簡単な説明】
【００２４】
【図１】本発明の蓋の一例を模式的に平面で示した説明図である。
【図２】図１のＸ−Ｘ断面図である。
【図３】本発明の蓋の一例の蓋本体を模式的に断面で示した説明図である。
【図４】（Ａ）本発明の蓋の一例のスライド蓋を模式的に平面で示した説明図である。（Ｂ）本発明の蓋の一例のスライド蓋を模式的に正面で示した説明図である。（Ｃ）本発明の蓋の一例のスライド蓋を模式的に底面で示した説明図である。
【図５】本発明の蓋の一例でスライド蓋の一端を押し下げた状態を模式的に断面で示した説明図である。
【図６】本発明の蓋の一例でスライド蓋の一端をスライドさせた状態を模式的に平面で示した説明図である。
【図７】図６のＹ−Ｙ断面図である。
【発明を実施するための形態】
【００２５】
以下本発明を実施するための形態につき説明する。
図１は、本発明の蓋の一例を模式的に平面で示した説明図、図２は、図１のＸ−Ｘ断面図、
図３は、本発明の蓋の一例の蓋本体を模式的に断面で示した説明図、図４（Ａ）は、本発明の蓋の一例のスライド蓋を模式的に平面で示した説明図、（Ｂ）は、本発明の蓋の一例のスライド蓋を模式的に正面で示した説明図、（Ｃ）は、本発明の蓋の一例のスライド蓋を模式的に底面で示した説明図である。
【００２６】
図５は、本発明の蓋の一例でスライド蓋の一端を押し下げた状態を模式的に断面で示した説明図、図６は、本発明の蓋の一例でスライド蓋の一端をスライドさせた状態を模式的に平面で示した説明図、図７は、図６のＹ−Ｙ断面図である。
【００２７】
本発明の蓋は、蓋本体１とスライド蓋２からなり、蓋本体１の上面の一方寄りには取り出し口３が設けられている。また、取り出し口３を密封する嵌合部４が取り出し口３を囲んで設けられ、嵌合部４は、蓋本体１側に設けられたリング状の突起の蓋本体嵌合部４ａと、スライド蓋２側に設けられ、蓋本体嵌合部４ａの外側に嵌合するリング状の突起のスライド蓋嵌合部４ｂとからなっている。
【００２８】
蓋本体１の上面にはスライド溝５が設けられ、取り出し口３および蓋本体嵌合部４ａは、このスライド溝５内に設けられている。そして、スライド溝５の底部には、取り出し口３の反対側に向かって下がる底部傾斜部６が設けられ、スライド蓋２の一端が押し下げ可能な空間が設けられている。
【００２９】
スライド溝５の対向する一対の側壁には軸移動溝７が各々設けられていて、スライド蓋２の側部には一対のスライド軸８が各々設けられ、一対のスライド軸８は、一対の軸移動溝７に嵌合された状態で保持されており、軸移動溝７に沿って自由にスライドできるようになっている。
【００３０】
すなわち、スライド蓋２の一端を押し下げることにより、取り出し口３を密封する嵌合部４のスライド蓋２がテコの原理で押し上げられるにつれて、スライド蓋嵌合部４ｂも押し上げられることで、嵌合部４の嵌合がはずれる。そして、スライド蓋２をスライドさせることによって、取り出し口３が露出されて、収納物を取り出せる。そのため、片手で簡単に収納物を取り出すことができる。また、嵌合部４で取り出し口３が密封されているので、閉蓋時の密閉性が高い。
【００３１】
軸移動溝７の嵌合部４寄りの先端には落ち込み部７aが設けられ、閉蓋時はスライド軸８が落ち込み部７ａに係合することで固定されている。そして、スライド蓋２の下面には凸部９が設けられ、図５のように、スライド蓋２の一端を押し下げたときに、凸部９がスライド溝５の底部に当たり支点となって、スライド軸８が押し上げられて落ち込み部７aより簡単に外れるようになっている。
【００３２】
また、軸移動溝７は、スライド軸８がスライド方向に下降するように傾斜して設けられている。そして、図３のように、軸移動溝７の水平方向に対する傾斜角度ａは、底部傾斜部６の水平方向に対する傾斜角度ｂより小さくなっている。このため、凸部９とスライド溝５の底部との間の抵抗が緩和され、スライド蓋２をスライドさせるのが、少しの力で簡単にでき、片手で開封することができる。
【００３３】
また、蓋本体１の取り出し口３の下には、取り出し口３と連通する孔の開いた取り出し口ゴム１０が、ゴム止め１１により取り付けられている。連通する孔は、取り出し口より小さく、これによって、収納物を取り出す際に、多少の抵抗を与え、収納物を切断した後、残った収納物が容器内に戻らないように押さえている。また、収納物の水分やアルコール分の蒸散を抑えている。
【００３４】
スライド蓋２のスライド方向両端の上面には、開閉時に指がスライド蓋２から外れないように、盛り上り部１２が設けられている。また、同様に、指が滑らないように、スライド蓋２の上面には、複数の突起１３が設けられている。
【００３５】
また、蓋本体１の側壁内面の下部には、容器の雄ネジと螺合する雌ネジ１４が設けられている。これによって、容器に取り付けられるようになっている。尚、容器との嵌合は前記螺合方式に限られるものではなく、打栓方式による嵌合でも良い。
【００３６】
このように、容器に取り付けられた本発明の蓋は、スライド蓋２の取り出す口３と反対
側の一端を指で押し下げると嵌合部４が外れ、更に、スライド溝５に沿ってスライドさせると、図６の平面図、図７の断面図のように、取り出し口３が出てくるので、取り出し口３から出ている収納物を引っ張り出すことができる。
【００３７】
また、収納物がウェブ状で所定間隔にウェブを横断するミシン目が設けられ、ロール状に巻き取られているのであれば、取り出し口３の下方に設けられた取り出し口ゴム１０の抵抗によってミシン目から切断され、枚葉にカットされて取り出すことができる。
【００３８】
収納物を取り出したあと、また、密封するには、スライド蓋２を取り出し口３の方向にスライドさせ、取り出し口３の上方に来た部分のスライド蓋２を押し下げ、蓋本体嵌合部４ａにスライド蓋嵌合部４ｂを嵌合させることによって、蓋が密封される。
【００３９】
本発明の蓋を構成する材質は、取り出し口ゴム１０以外は、インジェクション成形できる樹脂ならば特に限定されない。例えば、ポリスチレン、ポリ塩化ビニル、ポリプロピレン、ポリエチレン、或いは、ポリエステル系の樹脂などが使用できる。
【００４０】
水分の透過などを考慮すると、ポリプロピレンが好ましく用いることができる。また、蓋本体１にポリプロピレンを用いて、スライド蓋２にはポリエチレンを用いることも好ましい。本発明の蓋を製造するには、取り出し口ゴム１０以外の蓋本体１や、スライド蓋２は、それぞれ、インジェクションにより一体で成形すればよい。
【００４１】
取り出し口ゴム１０は、ゴム弾性を有する材質であれば特に限定されないが、収納物がアルコールなどを含む場合は、シリコーンゴムが好ましく用いることができる。
【符号の説明】
【００４２】
１・・・蓋本体
２・・・スライド蓋
３・・・取り出し口
４・・・嵌合部
４ａ・・・蓋本体嵌合部
４ｂ・・・スライド蓋嵌合部
５・・・スライド溝
６・・・底部傾斜部
７・・・軸移動溝
７a・・・落ち込み部
８・・・スライド軸
９・・・凸部
１０・・・取り出し口ゴム
１１・・・ゴム止め
１２・・・盛り上り部
１３・・・突起
１４・・・雌ネジ
【図１】
0005929137.tif 000002
【図２】
0005929137.tif 000003
【図３】
0005929137.tif 000004
【図４】
0005929137.tif 000005
【図５】
0005929137.tif 000006
【図６】
0005929137.tif 000007
【図７】
0005929137.tif 000008